(57)【要約】      （修正有）【課題】堅牢簡単構造で耐震性があり、テレビ画面の方向を簡単に変更できるテレビ転倒防止装置を提供する。【解決手段】薄型テレビの載置支持部ＴＶＦ後方中央部に装着するスタンド基部３とそれに着脱回転可能に装着したスタンドポール４とそれに上下移動可能に装着した高さ調節ブロック５とそれを介しテレビ本体後面左右の支持連結部ＴＶ１，ＴＶ２に連結する一対のＬ型ＴＶ支持アーム６とでなり、高さ調節ブロックの左右に装着した一対の水平連結アーム７を有し、テレビ画面方向変更用回転ガイド機構８０として水平連結アームの前部に前後位置可変に装着した第一支持ブロック８１と、その中央部に緊締・弛緩用の連結軸８２で連結しＴＶ支持アームの短尺部６Ｌを前後位置可変に装着した第二支持ブロック８３とを設け、連結穴８４を長穴とし、第二支持ブロックの円弧動を可能にした。【選択図】図１
0003184665.tif 000002
【実用新案登録請求の範囲】
【請求項１】
載置台（１）に薄型テレビ本体（ＴＶ）を載置支持する際に用いる装置であって、前記載置台（１）の薄型テレビ本体（ＴＶ）の下部に設けた載置支持部（ＴＶＦ）の後方中央部近傍に装着するスタンド基部（３）と、前記スタンド基部（３）に下部を着脱可能に且つ回転可能に装着し本体を薄型テレビ本体（ＴＶ）の後面中央部に沿って立てるスタンドポール（４）と、前記スタンドポール（４）に上下移動可能に装着した高さ調節ブロック（５）と、前記高さ調節ブロック（５）を介して薄型テレビ本体ＴＶの後面の左右の当該支持連結部ＴＶ１、ＴＶ２に連結して支持する一対のＬ型のＴＶ支持アーム（６）とからなる載置テレビ転倒防止装置において、
前記高さ調節ブロック（５）の左右に後部を装着した一対の水平連結アーム（７）を有し、テレビ画面の方向の変更用の回転ガイド機構（８０）として前記水平連結アーム（７）の前部に前後位置調節可能に装着した第一支持ブロック（８１）と、下面を前記第一支持ブロック（８１）の中央部に緊締・弛緩用の連結軸（８２）により連結し左右に前記一対のＴＶ支持アーム（６）の下部の短尺部を水平にして前後位置調節可能に装着した第二支持ブロック（８３）とを設け、前記連結軸（８２）が位置する第二支持ブロック（８３）の連結穴を、薄型テレビ本体（ＴＶ）の幅方向線（左右方向線）の中心又はこの中心を通る水平垂線上に即ち当該中心近くの奥行き方向の前方又は後方に位置する回転中心軸（ＴＶＣ）を中心にした回転に伴う前記第二支持ブロック（８３）の所定の円弧動を可能にした長穴連結穴（８４）にしたことを特徴とする載置テレビ転倒防止装置。
【請求項２】
前記長穴連結穴（８４）は、平面形状をリボン状（８４ａ）又は円弧状（８４ｂ）にしたことを特徴とする請求項１に記載の載置テレビ転倒防止装置。
【考案の詳細な説明】
【技術分野】
【０００１】  本考案は、机、専用ラック、棚等の載置台の上に載置した薄型テレビ用に開発した、組み立て解体および組み立て前のセット揃えが誰でも簡単容易にできしかも堅牢安価な転倒防止装置に関するものである。
【背景技術】
【０００２】  最近の薄型テレビは、インテリアディスプレイとして視覚的及び聴覚的に優れた機能を付加して次のような仕様の趨勢にある。
１．テレビ画面の薄型化に伴う大型の液晶表示画面化。
２．テレビ画面以外の構成部：チューナ、レコーダ等は裏面側に薄く一体的にコンパクト    収容。
３．前記１と２によりテレビ本体の重量増加。
４．スタンド脚部は上部を細くし薄型テレビの中央部に位置させ底部を末広がりにした目    立たない不安定型。
５．テレビ画面部を含むテレビ本体と、支持脚との形状及び重量の不均衡状態化。
６．設置施設、部屋の種類や設置位置などに応じた多種多様のサイズ構成。【０００３】  このような趨勢から薄型テレビ本体を机、専用ラック、棚等の載置台の上に載置する際は、特に地震等による大きな振動を受けたり、児童やお年寄りがうっかり接触しても転倒しないように転倒防止装置（器具）を付設している。【０００４】  従来の薄型テレビ用の転倒防止装置（器具）は、次のようなものが公知である。
１）、スタンド脚部を載置台にアンカーネジで連結固定し、テレビ本体の上部と載置台の後部をワイヤー連結して前面倒壊を防止する方法。
２）、載置台とテレビ本体に亘る多数本の縦・横チャンネルで組み立て構成した大型で重量のある堅牢な耐震用ラック取り付け金具。
３）、スタンド脚部の両側部を伸縮ベルトで載置台に連結支持する方法。【０００５】  これ等は何れも、インテリアディスプレイとして視覚的に見栄えが悪く、また、テレビを移動設置する際、その都度、繁雑で面倒な解体・組み立て作業を必要とする。
また、いずれにおいても載置台に固定された専用の構成なので、テレビの多種多様な形状仕様の変化に対処できない不便さがある。
更に、テレビ画面の方向変更は、載置台と共に位置変更しなければならない不便さがある。【０００６】  そこで本考案者は、実用新案登録第３１７４３１８号公報により、○簡単堅牢で安価な構造により地震、外部振動等による振動をある程度吸収緩衝して、薄型テレビ本体が転倒するのを確実に防止するものであり、○しかもインテリアディスプレイとして視覚的に見栄えが良く、○またテレビ本体を移動設置する際は、その都度、容易に解体・組み立て作業ができ、○またテレビの多種多様な形状仕様の変化に対処できる汎用性と簡便さを有し、○更にテレビ画面の方向の変更は容易に実施できる等の優れた機能を有する載置テレビ転倒防止装置を提供した。【０００７】  この載置テレビ転倒防止装置は、図６に示すように、「載置台０１に薄型テレビ本体ＴＶを載置支持する際に用いる装置であって、前記載置台０１の薄型テレビ本体０ＴＶの下部に設けた載置支持部０ＴＶＦの後方中央部近傍に装着するスタンド基部０３と、前記スタンド基部０３に下部を着脱可能に且つ回転可能にビス止め装着し本体を薄型テレビ本体ＴＶの後面中央部に沿って立てるスタンドポール０４と、前記スタンドポール０４に上下移動可能にビス止め装着した高さ調節ブロック０５と、前記高さ調節ブロック０５の左右各々に短尺部０６−１を水平にして前後位置調整可能にビス止め連結し、長尺部０６−２を薄型テレビ本体ＴＶの後面の左右支持側に延在させたＬ型のＴＶ支持アーム０６と、前記ＴＶ支持アーム０６の各々に位置調節可能にビス止め装着し薄型テレビ本体ＴＶの後面の左右の当該支持連結部０ＴＶ１、０ＴＶ２にビス止め接続するＴＶ連結具０７とを主な構成とし、載置台０１へのスタンド基部０３の装着手段を、弾性吸盤、回転円座、磁石座、クイックジョイント、両面接着テープのいずれかひとつ又は二つ以上の組み合わせにして回転可能にした」ものである。
【考案の概要】
【考案が解決しようとする課題】
【０００８】そこで載置台０１におけるテレビ本体の回転中心軸の位置は、通常、テレビ本体の幅方向線（左右方向線）の中心又はこの中心を通る水平垂線上（奥行き方向線を含む）に置かれる。
そして載置台０１との関係では、安全安定面の観点から、載置台０１の幅方向中央部又はその許容できる近傍部に回転中心軸の位置を一致して置かれることが好ましい。
しかしこの提案した載置テレビ転倒防止装置は、テレビ画面の方向変更手段を、テレビ画面の後方つまり載置台０１の後部とスタンド基部０３との装着部に設置にしているため、テレビ画面の回転中心位置を載置台０１の幅方向中央部に一致させてテレビ画面の方向を変更するには、一旦、載置台０１へのスタンド基部０３の装着位置を変更してスタンド基部０３の回転手段を操作して行わなければならない煩雑さを伴う。
本考案は、テレビ転倒防止装置において、テレビ画面の回転中心位置を、載置台の幅方向中央部はその近傍部から離間させることなく且つ載置台とスタンド基部との装着位置を変更することなく、テレビ画面の方向を迅速簡単に変更することができる機構を採用したテレビ転倒防止装置を提供するものである。
【課題を解決するための手段】
【０００９】  本考案のテレビ転倒防止装置は、堅牢簡単構造で耐震性は勿論、上記機能即ち「薄型テレビ本体の回転中心軸の位置をテレビ本体の幅方向線（左右方向線）の中心又はこの中心を通る水平垂線上に即ち当該中心近くの奥行き方向の前方又は後方に維持しながら、テレビ本体の画面方向を簡単に変更する機能」を持つテレビ本体の画面方向の変更機構を備えたものでありその特徴とするところは次の通りである。【００１０】（１）、載置台１に薄型テレビ本体ＴＶを載置支持する際に用いる装置であって、前記載置台１の薄型テレビ本体ＴＶの下部に設けた載置支持部ＴＶＦの後方中央部近傍に装着するスタンド基部３と、前記スタンド基部３に下部を着脱可能に且つ回転可能に装着し本体を薄型テレビ本体ＴＶの後面中央部に沿って立てるスタンドポール４と、前記スタンドポール４に上下移動可能に装着した高さ調節ブロック５と、前記高さ調節ブロック５を介して薄型テレビ本体ＴＶの後面の左右の当該支持連結部ＴＶ１、ＴＶ２に連結して支持する一対のＬ型のＴＶ支持アーム６とからなる載置テレビ転倒防止装置において、
前記高さ調節ブロック５の左右に後部を装着した一対の水平連結アーム７を有し、テレビ画面の方向の変更用の回転ガイド機構８０として前記水平連結アーム７の前部に前後位置調節可能に装着した第一支持ブロック８１と、下面を前記第一支持ブロック８１の中央部に緊締・弛緩用の連結軸８２により連結し左右に前記一対のＴＶ支持アーム７の下部の短尺部を水平にして前後位置調節可能に装着した第二支持ブロック８３とを設け、前記連結軸８２が位置する第二支持ブロック８３の連結穴を、薄型テレビ本体ＴＶの幅方向線（左右方向線）の中心又はこの中心を通る水平垂線上に即ち当該中心近くの奥行き方向の前方又は後方に位置する回転軸ＴＶＣを中心にした回転に伴う前記第二支持ブロック８３の所定の円弧動を可能にした長穴連結穴８４にしたことを特徴とする載置テレビ転倒防止装置。【００１１】（２）、前記長穴連結穴８４を平面形状をリボン状８４ａ又は円弧状８４ｂにしたことを特徴とする前記（１）に記載の載置テレビ転倒防止装置。
【考案の効果】
【００１２】  本考案の載置テレビ転倒防止装置は、後に詳述するが、テレビ画面の方向の変更用の回転ガイド機構８０として、前記一対の水平連結アーム７を支持した第一支持ブロック８１の上面で、Ｌ型のＴＶ支持アーム６を支持した第二支持ブロック８３を、緊締・弛緩用の連結軸８２を緩めて長穴連結穴８４の形状に沿って水平旋回させることにより、◎前記スタンド基部３位置及びテレビ本体ＴＶの回転中心位置を変更することなく◎テレビ本体ＴＶの回転によるテレビ画面の方向変更を長穴連結穴８４の範囲内で左右に容易に変更することを実現したものである。
つまり、前記第二支持ブロック８３の長穴連結穴８４は、連結軸８０２の被ガイド用であり、図１〜図４に示す平面形状をリボン状８４ａ又は図５に示す円弧状８４ｂ即ち「テレビ本体ＴＶの回転中心位置を円心としテレビ本体ＴＶの前記回転中心軸ＴＶＣから第二支持ブロック８３の中心部を結ぶ半径の円弧状」にすることにより、テレビ本体ＴＶの回転軸ＴＶＣが幅方向線（左右方向線）の中心又はこの中心を通る水平垂線上に即ち当該中心近くの奥行き方向の前方又は後方のいずれに位置しても、その回転軸ＴＶＣを中心にしたテレビ本体ＴＶの回転によるテレビ画面の左右の方向変更を長穴連結穴８４の範囲内で任意に成し得るようにしたものである。【００１３】  勿論、載置テレビ転倒防止装置は、ベースとなる前記の簡単で軽量堅牢な基本構造により、地震、外部振動等による振動を吸収緩衝して、テレビ本体が転倒するのを確実に防止し、しかもインテリアディスプレイとして視覚的に優れ、またテレビ本体を移動設置する際は、その都度、テレビと共に容易に取り外し・取り付け作業ができ、またテレビの多種多様な形状仕様の変化に対処できる汎用性と簡便さを有することができる等の優れた機能を有するものである。
【図面の簡単な説明】
【００１４】
【図１】本考案の載置テレビ転倒防止装置を薄型テレビ本体ＴＶの裏側に適用配置した全体組立の実施例を示す鳥瞰図である。
【図２】図１に示す真正面にしたテレビ本体ＴＶと回転ガイド機構８０の平面説明図で有る。
【図３】図２に示す状態から画面の方向を左側に変更したテレビ本体ＴＶと回転ガイド機構８０の平面説明図で有る。
【図４】図２に示す状態から画面の方向を右側に変更したテレビ本体ＴＶと回転ガイド機構８０の平面説明図で有る。
【図５】回転ガイド機構８０の第二支持ブロック８３の長穴連結穴８４を円弧状８４ｂにした平面図である。
【図６】従来の載置テレビ転倒防止装置を薄型テレビ本体ＴＶの裏側に適用配置した全体組立の実施例を示す鳥瞰図である。
【考案を実施するための形態】
【００１５】  本考案を実施するための一形態を後述の実施例により詳細に説明する。
【実施例１】
【００１６】  図１〜図４において、薄型テレビ本体ＴＶは、載置支持部２を載置台１に載置し、載置支持部２は回転中心軸ＴＶＣを中心に回転可能にしてある。
このテレビ本体ＴＶを裏面から支持する際に用いる本例の載置テレビ転倒防止装置は、材質を金属製或いは樹脂製又はこれらの材質を適宜組み合わせたスタンド基部２と、スタンド基部２に下部を装着したスタンドポール４と、スタンドポール４に装着した高さ調節ブロック５と、高さ調節ブロック５に前後位置調節可能に装着した一対の水平連結アーム７と、一対のＬ型のＴＶ支持アーム６と、前記水平連結アーム７とＴＶ支持アーム６との間に設けてテレビ画面の方向を変更する回転ガイド機構８０と、ＴＶ支持アーム６をテレビ本体ＴＶに装着するＴＶ連結具８とを基本構成とし、スタンドポール４とＴＶ支持アーム６と水平連結アーム７は成形形状を棒状、パイプ状、ピアノ線状、バネ板状のものである。【００１７】  スタンド基部３は、下面をフラットにして、前記載置台１の薄型テレビ本体ＴＶの載置支持部２の後方中央部近傍に適宜な固定手段により装着する。スタンド基部３の中央部には、スタンドポール４の下部を挿出入と回転可能に固定する。
スタンド基部３は、下面をフラットにしているが載置台１の後部角に合わせた逆Ｌ型にして装着してもよい。【００１８】  スタンドポール４は、本体をテレビ本体ＴＶの後面中央部に沿って前方傾斜角度を１０度にして立て高さ調節ブロック５の高さ位置調節とそれに応じたテレビ本体裏面への接近程度を調節可能にしてある。【００１９】  高さ調節ブロック５は、両側部に一対の水平連結アーム７を前後位置調節可能に止めネジ装着し、スタンドポール４に上下移動と回転自在に装着して止めネジにより高さ調節位置を固定支持するが、ＴＶ支持アーム６と支持連結部ＴＶ１、ＴＶ２との連結位置に応じて任意に高さ調節する。【００２０】  テレビ本体のＴＶの画面方向の変更用の回転ガイド機構８０は、前記水平連結アーム７の前部に前後位置調節可能に装着した第一支持ブロック８１と、下面を前記第一支持ブロック８１の中央部に緊締・弛緩用の連結軸８２により連結し左右に前記一対のＴＶ支持アーム６０の下部の短尺部６Ｌを水平にして前後位置調節可能に装着した第二支持ブロック８０３とからなる。
前記第二支持ブロック８３における連結軸８２の被ガイド用の連結穴８４は、左右に延長拡張し平面形状を∞字形のリボン状８０４ａにしたものである。【００２１】前記第二支持ブロック８３において、図１〜図４に示す平面形状をリボン状８４ａ又は図５に示す円弧状８４ｂにした長穴連結穴８４は、テレビ本体ＴＶを回転中心軸ＴＶＣを中心に回転させた際、連結軸８２に係合して第二支持ブロック８０３の円弧動をガイドするものであり、テレビ本体ＴＶの回転中心軸ＴＶＣを円心としこの回転中心軸ＴＶＣから第二支持ブロック８３の中心部を結ぶ半径の円弧軌跡に沿って形成したものであり、テレビ本体ＴＶの回転によるテレビ画面の左右の方向変更を容易にしたものである。
回転中心軸ＴＶＣは、幅方向線（左右方向線）の中心又はこの中心を通る水平垂線上に即ち当該中心近くの奥行き方向の前方又は後方のいずれに位置しても、長穴連結穴８４を当該回転中心軸ＴＶＣから第二支持ブロック８３の中心部を結ぶ半径の円弧軌跡に沿って形成すればテレビ本体ＴＶの回転によるテレビ画面の左右の方向変更が任意に可能である。【００２２】  ＴＶ支持アーム６は、上方の長尺部６ＵにＴＶ連結具８を挿通及びその固定を止めネジで可能に装着する。ＴＶ連結具８はテレビ本体ＴＶの後面の左右にある支持連結部（被螺合部）ＴＶ１、ＴＶ２との位置調節をしてＴＶ支持アーム６に固定した後、当該支持連結部ＴＶ１、ＴＶ２に止めネジで螺合接続固定する。これでＴＶ支持アーム６は、テレビ本体ＴＶ後面に沿って任意の方向と形に例えばハ形やノの字形などに延在させ連結固定することが出来る。【００２３】  図２〜図４には、テレビ本体ＴＶの回転中心軸ＴＶＣをテレビ本体ＴＶの幅方向中心位置に置いた状態の例で、テレビ本体の画面方向と回転ガイド機構８０との関係状態を示す。
図２は、図１に示すテレビ画面を載置台に対して平行な真正面にしたテレビ本体ＴＶと回転ガイド機構８０の平面説明図である。
図３は、図２に示す状態からテレビ本体の画面方向を左側に変更したテレビ本体ＴＶと回転ガイド機構８０の平面説明図である。
図４は、図２に示す状態からテレビ本体の画面方向を右側に変更したテレビ本体ＴＶと回転ガイド機構８０の平面説明図で有る。【００２４】  図２の関係状態は、第一支持ブロック８１の上面で、ＴＶ支持アーム６を支持した第二支持ブロック８３をテレビ本体ＴＶと共に平行関係にし緊締・弛緩用の連結軸８２を上端のダイヤル部を廻して長穴８４ａの中心で締めて位置固定することにより行う。【００２５】  図２の状態から図３の関係状態への変更は、一旦緊締・弛緩用の連結軸８０２を緩めた後、テレビ本体ＴＶと共にＴＶ支持アーム６と第二支持ブロック８３を、回転中心軸ＴＶＣを中心に左側に回転させることにより第二支持ブロック８３の長穴８４ａの右側に連結軸８２との相対位置を変更し連結軸８２を締め位置固定することにより行う。【００２６】  図２の状態から図４の関係状態への変更は、一旦緊締・弛緩用の連結軸８２を緩めた後、テレビ本体ＴＶと共にＴＶ支持アーム６と第二支持ブロック８３を、回転中心軸ＴＶＣを中心に右側に回転させることにより第二支持ブロック８３の長穴８４ａの左側端に連結軸８２との相対位置を変更し連結軸８２を締め位置固定することにより行う。
【産業上の利用可能性】
【００２７】  本考案の載置テレビ転倒防止装置は、前述の優れた効果を有するため、テレビ産業界の生産者は勿論、使用するユーザーにも安心安全を保障するなど多大な貢献をもたらすものである。
【符号の説明】
【００２８】ＴＶ：薄型テレビ本体                        ８：ＴＶ連結具
ＴＶ１、ＴＶ２：支持連結部                  ７：水平連結アーム
ＴＶＦ：載置支持部                          ８０：回転ガイド機構
１：載置台                                  ８１：第一支持ブロック
３：スタンド基部                            ８２：緊締・弛緩用の連結軸
４：スタンドポール                          ８３：第二支持ブロック
５：高さ調節ブロック                        ８４：長穴の連結穴
６：ＴＶ支持アーム                          ８４ａ：リボン状形状
７：水平連結アーム                          ８４ｂ：円弧状形状
【図１】
0003184665.tif 000003
【図２】
0003184665.tif 000004
【図３】
0003184665.tif 000005
【図４】
0003184665.tif 000006
【図５】
0003184665.tif 000007
【図６】
0003184665.tif 000008